(57)【特許請求の範囲】
【請求項１】
試料の定性・定量分析を行う自動分析装置において、
前記自動分析装置の操作画面を表示する表示部と、
操作者が他の操作者への連絡事項の入力を行うための入力部と、
当該自動分析装置の動作または状態から選択した１つ以上の表示条件と、前記入力部により入力された連絡事項を関連付けて記憶する記憶部とを備え、
前記表示装置は、前記表示条件を満たす状態となった時に、その表示条件に関連付けて設定された前記連絡事項を表示する情報表示画面を前記表示装置に表示することを特徴とする自動分析装置。
【請求項２】
試料の定性・定量分析を行う自動分析装置において、
前記自動分析装置の操作画面、及び、当該自動分析装置の動作または状態から選択した複数の表示条件の少なくとも１つと連絡事項とを関連付けて設定する設定画面を表示する表示部と、
操作者が他の操作者への前記連絡事項の入力を設定するための入力部と、
前記設定画面での設定を記憶する記憶部とを備え、
前記表示装置は、前記表示条件を満たした時に、その表示条件に関連付けて設定された前記連絡事項を表示する情報表示画面を前記表示装置に表示することを特徴とする自動分析装置。
【請求項３】
請求項１又は２記載の自動分析装置において、
前記情報表示画面は、前記連絡事項を表示する表示部と、前記入力部によって前記連絡事項に情報を追加することができる情報追加部とを設けたことを特徴とする自動分析装置。
【請求項４】
請求項２記載の自動分析装置において、
前記設定画面は、前記連絡事項の内容を設定する内容設定部と、
前記表示条件として、表示期間、表示時間、及び、表示の繰り返しを含む条件を設定することができる条件設定部とを設けたことを特徴とする自動分析装置。
【請求項５】
請求項１又は２記載の自動分析装置において、
前記表示装置は、前記連絡事項を一覧表示する一覧表示画面を表示することを特徴とする自動分析装置。
【発明の詳細な説明】
【技術分野】
【０００１】
本発明は、血液や尿などの試料の定性・定量分析を行う自動分析装置に関する。
【背景技術】
【０００２】
血液や尿などの試料の定性・定量分析を行う臨床検査の現場においては、検査の省力化や高速化のために自動分析装置が用いられている。
【０００３】
従来の自動分析装置では表示装置に、各種分析条件、検体情報などを入力するための画面や装置を操作するための画面を表示し、操作者が所望の画面上で入力・操作することにより検査を行っている。しかし、どのような手順で操作するかが各操作者の責任に委ねられているような自動分析装置では、操作者の習熟度が低い場合に、操作もれ、手順不良、分析条件の誤入力などの人為的なミスが起きる恐れがあった。
【０００４】
このような自動分析装置の状況に対応するための従来技術として、例えは、特許文献１には、試料を自動的に分析する自動分析装置と、自動分析装置を操作するための操作画面を表示する表示装置と、ユーザが入力するための入力装置とを有し、表示装置は、操作ナビゲーション実行画面に、自動分析装置の操作者毎に指定された、業務リストと業務に含まれる作業項目のリストを表示するものが開示されている。
【先行技術文献】
【特許文献】
【０００５】
【特許文献１】特開２００８−７０３２１号公報
【発明の概要】
【発明が解決しようとする課題】
【０００６】
血液や尿などの試料の定性・定量分析を行う臨床検査の現場で用いられる自動分析装置は、その多機能化・高機能化が進んでいるため、操作自体の容易化に反して、操作における注意事項や確認事項、各種設定に必要な知識等は増加しており、信頼性の高い分析結果を得るために操作者には高い習熟度が要求されている。また、自動分析装置の運用においても省力化促進のために操作者の人数削減が図られており、したがって、一人の操作者が複数種類の装置を担当したり、主担当以外の装置を扱ったりしなければならない状況にある。さらに、自動分析装置においては、各装置の癖、設定変更、或いは、トラブルの発生やメンテナンスの実施を含む使用状況などが個別に異なるため、その自動分析装置を操作・使用する各操作者間で装置の状況など各種情報を伝達することが必要である。情報の伝達方法としては、ノートや付箋紙などを用いたり、口頭で連絡したりすることが考えられるが、これらの方法では紛失や誤解、忘却などの恐れがある。
【０００７】
上記特許文献１記載の従来技術においては、操作者毎に指定された業務リストと作業項目リストを表示するナビゲーション実行画面を表示することで、操作漏れや人為的なミスを防止しようとしている。しかしながら、操作上の注意点などの情報はナビゲーション開始時にまとめて表示しているため、実際に注意が必要となる操作実行時にはその情報を忘れている可能性がある。したがって、結果的に装置トラブルや誤操作によって分析の失敗やデータ損失などが発生し、再測定に伴う費用や時間の損失、診断の遅延や再採血による患者負担の増加などを引き起こす恐れがあった。
【０００８】
本発明は上記に鑑みてなされたものであり、操作者に、より確実に情報を伝達し、装置トラブルや誤操作の発生を抑制するこができる自動分析装置を提供することを目的とする。
【課題を解決するための手段】
【０００９】
上記目的を達成するために、本発明は、試料の定性・定量分析を行う自動分析装置において、前記自動分析装置の操作画面を表示する表示部と、操作者が他の操作者への連絡事項の入力を行うための入力部と、当該自動分析装置の動作または状態から選択した１つ以上の表示条件と、前記入力部により入力された連絡事項を関連付けて記憶する記憶部とを備え、前記表示装置は、前記表示条件を満たす状態となった時に、その表示条件に関連付けて設定された前記連絡事項を表示する情報表示画面を前記表示装置に表示するものとする。
【発明の効果】
【００１０】
本発明によれば、操作者に、より確実に情報を伝達し、装置トラブルや誤操作の発生を抑制するこができる。
【図面の簡単な説明】
【００１１】
【図１】本発明の一実施の形態に係わる自動分析装置の全体構成を概略的に示す図である。
【図２】表示装置に表示される連絡メッセージ画面を示す図である。
【図３】連絡メッセージ一覧画面を示す図である。
【図４】連絡メッセージ作成画面を示す図である。
【図５】連絡メッセージの表示条件設定画面を示す図である。
【図６】連絡メッセージ画面の表示処理の一例を示すフローチャートである。
【図７】連絡メッセージ画面の表示処理の他の例を示すフローチャートである。
【図８】連絡メッセージ画面の表示処理のさらに他の例を示すフローチャートである。
【発明を実施するための形態】
【００１２】
以下、本発明の実施の形態を図面を参照しつつ説明する。
【００１３】
図１は、本発明の一実施の形態に係る自動分析装置の全体構成を示す概略図である。
【００１４】
図１において、本実施の形態の自動分析装置は、分析部１と操作部２とを備えている。
【００１５】
分析部１は、分析対象の試料（例えば、血液や尿などの生体試料）に試薬等を加え、その物性（光度など）を測定するものであり、分析対象の試料を収容した試料容器３を収納しラック搬送ベルト１８により搬送されるラック４と、分析対象試料に加える試薬を収容した複数の試薬ボトル５を収納した試薬ディスク６と、分析対象の試料に試薬を加えた反応液を収容する複数の反応容器７を収納した反応ディスク８と、試料容器３に収容された試料を予め定められた反応容器７に分注する試料分注プローブ９と、試薬ボトル５に収容された試薬を予め定められた反応容器７に分注する試薬分注プローブ１０と、反応容器７に収容された反応液を攪拌する買う坂装置１１と、反応容器７に収容された反応液に光束を照射する光源１２と、光源１２から照射され反応容器７を透過した光を検出する多波長光度計１３と、多波長光度計１３での検出信号を変換するＡ／Ｄコンバータ１５と、反応容器７を洗浄する洗浄装置１４と、分析部１の各構成の動作を制御するコンピュータ１６とを備えており、分析部１の各構成は内部インタフェース１７を介してコンピュータ１６に接続されている。
【００１６】
操作部２は、分析部１を操作するものであり、操作部２を含む自動分析装置全体の動作を制御する制御装置２１と、各種指令や情報を入力するキーボード２２やマウス２３などの入力装置２４と、プログラムや設定値等の各種データを記憶するハードディスクなどの記憶装置２５と、操作画面等を表示する表示装置２６と、印刷装置２７とを備えており、外部インタフェース２８を介して分析部１と接続されている。なお、操作部２は、公衆回線や専用回線などのネットワーク２９を介して、外部のサポート部３０と接続されており、データの授受を行うことができる。
【００１７】
本実施の形態の自動分析装置においては、操作者が操作部２の入力装置２４によって測定指示などの各種指令を入力することにより、測定動作を行う。測定開始の指示が入力されると、試料分注プローブ９が、試料容器３の中に入った試料の所定量を依頼された項目数に応じて各反応容器７に分注する。ある試料容器３の試料に対する分注処理を完了したら、次の試料容器３が試料分注位置（試料分注プローブ９の真下）に来るようにラック搬送ベルト１８がラック４を移動する。試料を分注された反応容器７は反応ディスク８の回転動作により移動される。反応ディスク８上の反応容器７に対して、試薬分注プローブ１０による試薬ボトル５内の試薬の分注、攪拌装置１１による反応液の攪拌、光源１２及び多波長光度計１３による吸光度の測定が順次行われ、その後、測定の終了した反応容器７は洗浄装置１４によって洗浄される。多波長光度計１３により検出された吸光度信号（検出信号）はＡ／Ｄコンバータ１５により変換され、内部インタフェース１７を介してコンピュータ１６に入力される。コンピュータ１６に入力された吸光度信号から、予め測定項目ごとに設定された分析法に基づくプログラムにより分析を行う。例えば、試料として標準液試料を測定する場合は設定された濃度データから検量線データが算出される。また、患者試料及びコントロール試料を測定する場合は標準液試料の測定で得られた検量線データを用いて濃度データが算出される。これらのデータは、測定結果として試料の種類等を記号化した情報を付加され外部インタフェース２８を介して操作部２に送信され、記憶装置２５に記憶され、また、必要に応じて印刷装置２７により印刷される。また、必要に応じて操作部２とサポート部３０はデータの授受を行う。
【００１８】
このような本実施の形態の自動分析装置は、表示条件設定画面５００により設定した表示条件を満たす状態となった時に、その表示条件に関連付けて設定された連絡メッセージ（分析処理情報）を表示する（情報表示画面）を表示装置２６に表示する表示処理機能を備えている。以下、分析処理情報として連絡メッセージを表示する場合を例にとり、本実施の形態の表示処理機能の詳細について説明する。
【００１９】
図２は連絡メッセージが示される連絡メッセージ画面、図３は連絡メッセージ一覧画面、図４は連絡メッセージ作成画面、図５は連絡メッセージの表示条件の設定画面をそれぞれ示す図である。
【００２０】
（１）連絡メッセージ画面２００
連絡メッセージ画面２００は、その表示により表示装置２６に連絡メッセージを表示するものであり、件名表示部２０１と、メッセージ表示部２０２と、問題報告ラジオ部２０３と、コメント入力部２０４と、了解ボタン２０５とが設けられている。
【００２１】
メッセージ表示部２０２には、連絡メッセージ作成画面３００において作成された連絡メッセージが表示される。操作者には、この連絡メッセージにより作成者からの情報伝達が行われる。図２では、サンプルプローブ（試料分注プローブ９）における、吐出される水の状態、位置、及びプローブ接触の有無などのチェックを促すメッセージが表示された場合を示している。
【００２２】
問題報告ラジオ部２０３には、メッセージ内容に対する報告（ここでは問題報告）を選択的に行うラジオボタンが設けられている。操作者は、このラジオボタンの何れかを選択することにより、連絡メッセージの内容に対する回答を行う。図２では、問題なしのラジオボタンが選択された場合を示している。
【００２３】
コメント入力部２０４には、入力装置２４によりコメントを入力することができる。操作者は、このコメント入力部２０４に所望のコメントを入力することにより、連絡メッセージの内容に対する回答などを行うことができる。
【００２４】
連絡メッセージ画面２００は、操作者により了解ボタン２０５が選択されると、その内容が記憶装置２５に記憶され、連絡メッセージ画面２００は閉じられる。
【００２５】
なお、問題報告ラジオ部２０３、コメント入力部２０４、及び、了解ボタン２０５は、後述する表示条件設定画面５００による設定の違いにより表示状態を変更することができる。
【００２６】
（２）連絡メッセージ一覧画面３００
連絡メッセージ一覧画面３００は、登録された連絡メッセージの一覧を表示するものであり、メッセージリスト表示部３０１と、本文表示部３０２と、表示結果表示部３０３と、コメント表示部３０４と、メッセージ作成ボタン３０５と、閉じるボタン３０６とが設けられている。
【００２７】
メッセージリスト表示部３０１は、各連絡メッセージの作成日、作成者、メッセージの件名、及び、問題発生の有無や状態を一覧で表示するものである。図３では、ＡＳＴの試料残量に注意という件名のメッセージと、サンプルプローブのチェックという件名のメッセージを一覧表示し、後者を選択中の状態を示している。
【００２８】
本文表示部３０２は、メッセージリスト表示部３０１で選択中のメッセージの本文を表示するものである。図３では、図２の連絡メッセージ画面２００で示したものと同様のメッセージが選択された場合を示しており、サンプルプローブ（試料分注プローブ９）における、吐出される水の状態、位置、及びプローブ接触の有無などのチェックを促すメッセージが表示されている。
【００２９】
表示結果表示部３０３は、メッセージリスト表示部３０１で選択中のメッセージの表示結果を一覧表示するものである。表示結果とは、対象のメッセージが表示された時間、その時のオペレータ名、及び、そのときの問題の有無や解決済みか未解決かということである。図３では、一覧の上から２番目の表示結果が選択された場合を示している。
【００３０】
コメント表示部３０４は、表示結果表示部３０３で選択中の表示結果に対応するメッセージの表示時に連絡メッセージ画面２００のコメント入力部２０４に入力されたコメントを表示するものである。
【００３１】
メッセージ作成ボタン３０５は、連絡メッセージを作成する連絡メッセージ作成画面４００（後述）を開くものである。
【００３２】
連絡メッセージ一覧画面３００は、閉じるボタン３０６が選択されると閉じられる。
【００３３】
（３）連絡メッセージ作成画面４００
連絡メッセージ作成画面４００は、表示する連絡メッセージを作成・登録するためのものであり、宛先設定部４０１と、画面表示ラジオ部４０２と、自動表示条件設定ボタン４０３と、問題報告ラジオ部４０４と、件名エディット部４０５と、本文エディット部４０６と、登録ボタン４０７と、取消ボタン４０８とが設けられている。
【００３４】
宛先設定部４０１は、コンボボックス形式となっており、ここで連絡メッセージを表示するオペレータを選択する。
【００３５】
画面表示ラジオ部４０２には、作成した連絡メッセージを表示するかどうかを選択するラジオボタンが設けられている。図４では、画面表示するラジオボタンが選択された場合を示している。
【００３６】
自動表示条件設定ボタン４０３は、作成した連絡メッセージの自動表示条件を設定するための表示条件設定画面５００（後述）を開くものである。
【００３７】
件名エディット部４０５、本文エディット部４０６は、それぞれ連絡メッセージの件名、本文を入力するものである。
【００３８】
（３−１）表示条件設定画面５００
表示条件設定画面５００は、連絡メッセージ作成画面４００で作成した連絡メッセージを表示する条件を設定するものであり、表示形式設定部５０１と、表示ボタン設定部５０２と、表示色設定部５０３と、音設定部５０４と、開始日時設定部５０５と、終了日時設定部５０６と、時間帯設定部５０７と、定期設定部５０８と、繰り返し設定部５０９と、表示トリガリストボックス５１０と、設定ボタン５１１と、削除ボタン５１２と、設定表示トリガリストボックス５１３と、登録ボタン５１４と、取消ボタン５１５とが設けられている。
【００３９】
表示形式設定部５０１は、連絡メッセージ画面２００の表示形式を設定するものであり、各チェックボックスを選択することにより、連絡メッセージ画面２００における問題報告ラジオ部２０３、及び、コメント入力部２０４の表示の有無を切り替えることができる。
【００４０】
表示ボタン設定部５０２は、連絡メッセージ画面２００の了解ボタン２０５の種類を切り替えるものであり、図５に示すように「了解」を選択した場合は、図２に示すように了解ボタン２０５が表示される。また、「はい、いいえ」を選択した場合は、はいボタンといいえボタン（ともに図示せず）が表示され、「はい、いいえ、キャンセル」を選択した場合は、はいボタンといいえボタンとキャンセルボタン（ともに図示せず）が表示される。
【００４１】
表示色設定部５０３及び音設定部５０４は、それぞれ、連絡メッセージ画面２００が表示されるときの表示色及び鳴らす音を表示するものである。
【００４２】
開始日時設定部５０５、終了日時設定部５０６、時間帯設定部５０７、定期設定部５０８、及び、繰り返し設定部５０９は、それぞれのチェックボックスを選択し、その内容をそれぞれ設定することにより、表示条件を設定することができる。たとえば、開始日時設定部５０５と終了日時設定部５０６をチェックし、設定することで連絡メッセージ画面２００を表示する期間を指定する。また、時間帯設定部５０７をチェックし、設定することで連絡メッセージ画面２００を表示する時間帯を指定する。定期設定部５０８をチェックし、設定することで連絡メッセージ画面の定期的な表示タイミングを設定する。繰り返し設定部をチェックすることで、チェックなしの設定では連絡メッセージ画面を一回のみ表示し、チェックありの設定では条件が一致する限り何回も表示する。
【００４３】
表示トリガリストボックス５１０は、表示トリガとして設定できる自動分析装置の動作や状態を一覧表示するものであり、表示トリガリストボックス５１０の何れかを選択した状態で設定ボタン５１１を選択することにより、設定表示トリガボックス５１３に表示されて設定される。また、設定表示トリガボックス５１３の何れかを選択した状態で削除ボタン５１２を選択することにより、設定を解除することができる。
【００４４】
表示条件設定画面５００は、操作者により登録ボタン５１４が選択されると、その内容が記憶装置２５に記憶され、表示条件設定画面５００は閉じられる。また、取消ボタン５１５が選択されると表示条件設定画面５００の設定内容は記憶されず、表示条件設定画面５００は閉じられる。
【００４５】
以上のように構成した本実施の形態における表示処理機能の詳細を図６〜図８に示すフローチャートを用いてさらに説明する。
【００４６】
図６は、連絡メッセージ画面の表示処理の一例を示すフローチャートであり、表示設定画面５００において、表示トリガとして表示トリガリストボックス５１０の「スタート」（自動分析処理の開始指示）が設定され得る場合であって、表示ボタン設定部５０２の「了解」を設定した場合を示すものである。
【００４７】
制御装置２１は、表示装置２６に、自動分析をスタートさせるためのスタートボタンを表示したスタート画面（自動分析処理の開始指示画面、図示せず）を表示し（ステップＳ１０）、スタートボタンが選択されるのを待つ入力待ち状態とする（ステップＳ２０）。この状態からスタートボタンが選択されると（ステップＳ２１）、連絡メッセージの登録があるかどうかを判定し（ステップＳ３０）、連絡メッセージの登録がある場合は、さらに、その連絡メッセージの表示条件を確認する（ステップＳ４０）。本例の場合は、連絡メッセージの表示条件に「スタート」が設定されているかどうかを確認する。ステップＳ３０で連絡メッセージの登録がない場合、又は、ステップＳ４０で連絡メッセージの表示条件に「スタート」が含まれていない場合（つまり、表示条件が一致しない場合）は、自動分析処理を開始し（ステップＳ７０）、スタート画面を閉じて（ステップＳ８０）、処理を終了する。ステップＳ４０において表示条件が一致した場合は、その連絡メッセージを表示する連絡メッセージ画面２００を表示装置２６に表示する（ステップＳ５０）。連絡メッセージ表示画面２００には了解ボタン２０５（図２参照）が表示されており、この了解ボタン２０５を選択すると（ステップＳ６０）、自動分析処理を開始し（ステップＳ７０）、スタート画面を閉じて（ステップＳ８０）、処理を終了する。
【００４８】
図７は、連絡メッセージ画面の表示処理の他の例を示すフローチャートであり、表示設定画面５００において、表示トリガとして表示トリガリストボックス５１０の「スタート」（自動分析処理の開始指示）が設定され得る場合であって、表示ボタン設定部５０２の「はい、いいえ」を設定した場合を示すものである。
【００４９】
制御装置２１は、表示装置２６に、自動分析をスタートさせるためのスタートボタンを表示したスタート画面（自動分析処理の開始指示画面、図示せず）を表示し（ステップＳ１０）、スタートボタンが選択されるのを待つ入力待ち状態とする（ステップＳ２０）。この状態からスタートボタンが選択されると（ステップＳ２１）、連絡メッセージの登録があるかどうかを判定し（ステップＳ３０）、連絡メッセージの登録がある場合は、さらに、その連絡メッセージの表示条件を確認する（ステップＳ４０）。本例の場合は、連絡メッセージの表示条件に「スタート」が設定されているかどうかを確認する。ステップＳ３０で連絡メッセージの登録がない場合、又は、ステップＳ４０で連絡メッセージの表示条件に「スタート」が含まれていない場合（つまり、表示条件が一致しない場合）は、自動分析処理を開始し（ステップＳ７０）、スタート画面を閉じて（ステップＳ８０）、処理を終了する。ステップＳ４０において表示条件が一致した場合は、その連絡メッセージを表示する連絡メッセージ画面２００を表示装置２６に表示し（ステップＳ５０）、連絡メッセージ表示画面２００は、「はい」ボタン、「いいえ」ボタンの入力待ち状態となる（ステップＳ２６０）。この状態からどのボタンが選択されたかを判定し（ステップＳ２７０）、「はい」ボタンが選択された場合は、自動分析処理を開始し（ステップＳ７０）、スタート画面を閉じて（ステップＳ８０）、処理を終了する。また、ステップＳ２７０において「いいえ」ボタンが選択された場合は、何もせず、スタート画面を閉じて（ステップＳ８０）、処理を終了する。
【００５０】
図８は、連絡メッセージ画面の表示処理の他の例を示すフローチャートであり、表示設定画面５００において、表示トリガとして表示トリガリストボックス５１０の「スタート」（自動分析処理の開始指示）が設定され得る場合であって、表示ボタン設定部５０２の「はい、いいえ、キャンセル」を設定した場合を示すものである。
【００５１】
制御装置２１は、表示装置２６に、自動分析をスタートさせるためのスタートボタンを表示したスタート画面（自動分析処理の開始指示画面、図示せず）を表示し（ステップＳ１０）、スタートボタンが選択されるのを待つ入力待ち状態とする（ステップＳ２０）。この状態からスタートボタンが選択されると（ステップＳ２１）、連絡メッセージの登録があるかどうかを判定し（ステップＳ３０）、連絡メッセージの登録がある場合は、さらに、その連絡メッセージの表示条件を確認する（ステップＳ４０）。本例の場合は、連絡メッセージの表示条件に「スタート」が設定されているかどうかを確認する。ステップＳ３０で連絡メッセージの登録がない場合、又は、ステップＳ４０で連絡メッセージの表示条件に「スタート」が含まれていない場合（つまり、表示条件が一致しない場合）は、自動分析処理を開始し（ステップＳ７０）、スタート画面を閉じて（ステップＳ８０）、処理を終了する。ステップＳ４０において表示条件が一致した場合は、その連絡メッセージを表示する連絡メッセージ画面２００を表示装置２６に表示し（ステップＳ５０）、連絡メッセージ表示画面２００は、「はい」ボタン、「いいえ」ボタン、「キャンセル」ボタンの入力待ち状態となる（ステップＳ３６０）。この状態からどのボタンが選択されたかを判定し（ステップＳ３７０）、「はい」ボタンが選択された場合は、自動分析処理を開始し（ステップＳ７０）、スタート画面を閉じて（ステップＳ８０）、処理を終了する。また、ステップＳ３７０において「いいえ」ボタンが選択された場合は、何もせず、スタート画面を閉じて（ステップＳ８０）、処理を終了する。また、ステップＳ３７０において、「キャンセル」ボタンが選択された場合は、スタートボタンが選択されるのを待つ入力待ち状態に戻る（ステップＳ２０）。
【００５２】
以上のように構成した本実施の形態における効果を説明する。
【００５３】
血液や尿などの試料の定性・定量分析を行う臨床検査の現場で用いられる自動分析装置は、その多機能化・高機能化が進んでいるため、操作自体の容易化に反して、操作における注意事項や確認事項、各種設定に必要な知識等は増加しており、信頼性の高い分析結果を得るために操作者には高い習熟度が要求されている。また、自動分析装置の運用においても省力化促進のために操作者の人数削減が図られており、したがって、一人の操作者が複数種類の装置を担当したり、主担当以外の装置を扱ったりしなければならない状況にある。さらに、自動分析装置においては、各装置の癖、設定変更、或いは、トラブルの発生やメンテナンスの実施を含む使用状況などが個別に異なるため、その自動分析装置を操作・使用する各操作者間で装置の状況など各種情報を伝達することが必要である。情報の伝達方法としては、ノートや付箋紙などを用いたり、口頭で連絡したりすることが考えられるが、これらの方法では紛失や誤解、忘却などの恐れがある。
【００５４】
上記特許文献１記載の従来技術においては、操作者毎に指定された業務リストと作業項目リストを表示するナビゲーション実行画面を表示することで、操作漏れや人為的なミスを防止しようとしている。しかしながら、操作上の注意点などの情報はナビゲーション開始時にまとめて表示しているため、実際に注意が必要となる操作実行時にはその情報を忘れている可能性がある。したがって、結果的に装置トラブルや誤操作によって分析の失敗やデータ損失などが発生し、再測定に伴う費用や時間の損失、診断の遅延や再採血による患者負担の増加などを引き起こす恐れがあった。
【００５５】
これに対し、本実施の形態においては、記憶部に、１つ以上の表示条件と予め関連付けて設定された分析処理情報を記憶し、表示条件を満たす状態となった時に、その表示条件に関連付けて設定された分析処理情報を表示装置に表示するよう構成したので、操作者に、より確実に情報を伝達し、装置トラブルや誤操作の発生を抑制するこができる。
【符号の説明】
【００５６】
１  分析部
２  操作部
３  試料容器
４  ラック
５  試薬ボトル
６  試薬ディスク
７  反応容器
８  反応ディスク
９  試料分注プローブ
１０  試薬分注プローブ
１１  攪拌装置
１２  光源
１３  多波長光度計
１４  洗浄装置
１５  Ａ／Ｄコンバータ
１６  コンピュータ
１７  内部インタフェース
１８  ラック搬送ベルト
２１  制御装置
２２  キーボード
２３  マウス
２４  入力装置
２５  記憶装置
２６  表示装置
２７  印刷装置
２８  外部インタフェース
２９  ネットワーク
３０  サポート部
２００  連絡メッセージ画面
３００  連絡メッセージ一覧画面
４００  連絡メッセージ作成画面
５００  表示条件設定画面
【図１】
0005505983.tif 000002
【図２】
0005505983.tif 000003
【図３】
0005505983.tif 000004
【図４】
0005505983.tif 000005
【図５】
0005505983.tif 000006
【図６】
0005505983.tif 000007
【図７】
0005505983.tif 000008
【図８】
0005505983.tif 000009